(57)【特許請求の範囲】
【請求項１】
男性器に装着されて男性器から排泄される尿を吸収する尿吸収物品であって、
内側に配置された液透過性のトップシートと、外側に配置された液不透過性のバックシートと、前記トップシートおよび前記バックシートの間に介在する吸収体とを有し、その一部分に男性器を挿入するための開口部が形成された袋体を備え、
前記袋体は、前記開口部の近傍に配置された締め付け部を有し、
前記袋体の前記締め付け部の内側の面が、撥水性の不織布により構成されており、
前記撥水性の不織布は、前記吸収体の内側の位置まで延びている尿吸収物品。
【請求項２】
請求項１に記載の尿吸収物品であって、
前記撥水性の不織布は、前記締め付け部の内側の面に貼着された、前記トップシートおよび前記バックシートとは別体のシートである尿吸収物品。
【請求項３】
請求項１または請求項２に記載の尿吸収物品であって、
前記撥水性の不織布は、前記開口部の外側まで延びている尿吸収物品。
【請求項４】
請求項１から請求項３までのいずれかに記載の尿吸収物品であって、
前記撥水性の不織布は、エアースルー不織布である尿吸収物品。
【請求項５】
請求項４に記載の尿吸収物品であって、
前記エアースルー不織布の目付が、２０ｇ／ｍ2以上である尿吸収物品。
【発明の詳細な説明】
【技術分野】
【０００１】
本発明は、男性器に装着されて男性器から排泄される尿を吸収する尿吸収物品に関する。
【背景技術】
【０００２】
従来、おむつや下着の内側で男性器に装着され、男性器から排泄される尿を吸収する採尿パッドが知られている。このような採尿パッドの例として、特許文献１には、開口部を有する袋状に形成され、開口部に配設されたゴムにより男性外性器を保持する男性用尿吸収器具が記載されている。
【先行技術文献】
【特許文献】
【０００３】
【特許文献１】特開２００４−１５９７２４号公報
【発明の概要】
【発明が解決しようとする課題】
【０００４】
特許文献１の男性用尿吸収器具は、開口部に配設されたゴムと、ゴムを覆うゴム部分保護部材とから成る収容口部を有している。そして、特許文献１では、ゴム部分保護部材に用いられる素材の例として、カット綿、ロール綿、およびリント布が挙げられている（段落００１５〜００１６）。
【０００５】
しかしながら、ゴム部分保護部材にこれらの素材を用いると、袋状体の内部から開口部側へ尿が逆流した場合に、ゴム部分保護部材への尿の染み込みが発生する。このため、ゴム部分保護部材と男性外性器との間で尿を塞き止めることができず、収容口部からの尿の漏れが発生しやすい、という問題がある。
【０００６】
本発明は、このような事情に鑑みなされたものであり、男性器に装着される袋状の尿吸収物品において、開口部からの尿の漏れを防止できる技術を提供することを目的とする。
【課題を解決するための手段】
【０００７】
上記課題を解決するため、本願の第１発明は、男性器に装着されて男性器から排泄される尿を吸収する尿吸収物品であって、内側に配置された液透過性のトップシートと、外側に配置された液不透過性のバックシートと、前記トップシートおよび前記バックシートの間に介在する吸収体とを有し、その一部分に男性器を挿入するための開口部が形成された袋体を備え、前記袋体は、前記開口部の近傍に配置された締め付け部を有し、前記袋体の前記締め付け部の内側の面が、撥水性の不織布により構成されており、前記撥水性の不織布は、前記吸収体の内側の位置まで延びている。
【０００８】
本願の第２発明は、第１発明の尿吸収物品であって、前記撥水性の不織布は、前記締め付け部の内側の面に貼着された、前記トップシートおよび前記バックシートとは別体のシートである。
【００１０】
本願の第３発明は、第１発明または第２発明の尿吸収物品であって、前記撥水性の不織布は、前記開口部の外側まで延びている。
【００１１】
本願の第４発明は、第１発明から第３発明までのいずれかの尿吸収物品であって、前記撥水性の不織布は、エアースルー不織布である。
【００１２】
本願の第５発明は、第４発明の尿吸収物品であって、前記エアースルー不織布の目付が、２０ｇ／ｍ2以上である。
【発明の効果】
【００１３】
本願の第１発明〜第５発明によれば、不織布への尿の染み込みを防止できるため、男性器と不織布との間で、尿を塞き止めることができる。これにより、開口部からの尿の漏れを防止できる。また、締め付け部は、不織布を介して男性器を締め付ける。このため、締め付けによる肌への刺激を低減できる。
また、本願の第１発明〜第５発明によれば、吸収体から開口部側への尿の染み出しを防止できる。また、撥水性の不織布の表面を伝って、吸収体まで尿を導くことができる。
【００１４】
特に、本願の第２発明によれば、締め付け部の内側部分の厚みが増すため、男性器と不織布との隙間をより狭小化できるとともに、肌への刺激もより低減できる。また、男性器の締め付けや尿の塞き止めに、より適した不織布を使用できる。
【００１６】
特に、本願の第３発明によれば、開口部は、不織布を介して着用者の腹部に接触する。このため、着用者の肌に対する刺激を低減できる。
【００１７】
特に、本願の第４発明によれば、エアースルー不織布は、嵩高性に優れているため、男性器と不織布との隙間をより狭小化できるとともに、着用者の肌への刺激もより低減できる。
【００１８】
特に、本願の第５発明によれば、不織布が高い目付を有するため、男性器と不織布との隙間をより狭小化できるとともに、着用者の肌への刺激もより低減できる。
【図面の簡単な説明】
【００１９】
【図１】採尿パッドの全体図である。
【図２】図１のII−II位置から見た採尿パッドの断面図である。
【図３】採尿パッドの展開図である。
【図４】着用者に装着された採尿パッドを示した図である。
【図５】男性器に装着された採尿パッドの開口部付近の断面図である。
【図６】変形例に係る採尿パッドの断面図である。
【発明を実施するための形態】
【００２０】
以下、本発明の好適な実施形態について、図面を参照しつつ説明する。
【００２１】
＜１．採尿パッドの構成＞
図１は、本発明の一実施形態に係る採尿パッド１の全体図である。また、図２は、図１のII−II位置から見た採尿パッド１の断面図である。この採尿パッド１は、男性器（ペニス）に装着されて男性器から排泄される尿を吸収する尿吸収物品である。着用者は、この採尿パッド１を装着し、その上におむつや下着を着用する。軽度の排尿であれば、おむつや下着を交換することなく、採尿パッド１のみを交換すれば済むため、着用者の経済的負担や介護者の介護負担が軽減される。
【００２２】
この採尿パッド１は、男性器を収容可能な袋体１０を有する。袋体１０には、男性器を挿入するための開口部１０ａが形成されている。図２に示すように、袋体１０は、内側に配置された液透過性のトップシート１１と、外側に配置された液不透過性のバックシート１２と、両シート１１，１２の間に介在する吸収体１３とを有する。袋体１０の内部に尿が排泄されると、当該尿は、トップシート１１を通過するが、バックシート１２を通過することはなく、トップシート１１とバックシート１２との間において、吸収体１３に吸収保持される。
【００２３】
トップシート１１は、例えば、親水性繊維（セルロース、レーヨン、コットン等）を用いた不織布により構成される。また、トップシート１１は、疎水性繊維（ポリプロピレン、ポリエチレン、ポリエステル、ポリアミド、ナイロン等）の表面を界面活性剤により処理して液透過性とした不織布により構成されていてもよい。
【００２４】
バックシート１２は、例えば、疎水性繊維（ポリプロピレン、ポリエチレン、ポリエステル、ポリアミド、ナイロン等）を用いた撥水性の不織布により構成される。バックシート１２は、プラスチックフィルムにより構成されていてもよく、また、プラスチックフィルムとその外側に貼着された柔軟性の高い不織布とにより構成されていてもよい。
【００２５】
吸収体１３は、例えば、顆粒状の高分子吸収体により構成される。図２に示すように、本実施形態では、バックシート１２の内側面に、接着剤（図示省略）を介して高分子吸収体が固定され、その内側に、高分子吸収体を被覆する液透過性の補助シート１４が設けられている。これにより、バックシート１２と補助シート１４との間に、高分子吸収体がシート状に分布した状態となっている。
【００２６】
なお、吸収体１３は、トップシート１１とバックシート１２との間に、補助シート１４を介することなく、保持されていてもよい。また、吸収体１３は、粉砕したパルプ繊維やセルロース繊維などの親水性繊維の集合層に、顆粒状の高分子吸収体を混合した塊を、ティッシュペーパーなどの紙シートまたは透液性の不織布シートで被覆したものであってもよい。ただし、吸収体１３の嵩張りを抑制するためには、吸収体１３を、パルプ非存在の高分子吸収体により構成することが望ましい。
【００２７】
図２に示すように、バックシート１２の端部は、袋体１０の開口部１０ａの近傍において、内側へ折り畳まれている。そして、バックシート１２の折り畳まれた部分の内部には、複数本の弾性部材１５が設けられている。複数本の弾性部材１５は、開口部１０ａの縁に沿って、互いに平行に配置されている。弾性部材１５には、例えば、ポリウレタン糸を使用すればよいが、ポリウレタンフィルムや天然ゴムなどを使用してもよい。
【００２８】
複数本の弾性部材１５は、自然長よりも伸長された状態で、接着剤（図示省略）により、バックシート１２に固定される。このため、複数本の弾性部材１５は、開口部１０ａを縮めるように弾性力を発生させる。男性器に袋体１０を装着するときには、複数本の弾性部材１５の締め付けにより、開口部１０ａの近傍における袋体１０の内側面が、男性器に密着される。すなわち、複数本の弾性部材１５は、袋体１０を男性器に固定するための締め付け部として機能する。一方、採尿パッド１の着用者または介護者は、弾性部材１５の弾性力に抗して、開口部１０ａを広げることもできる。
【００２９】
また、図１および図２に示すように、袋体１０の開口部１０ａには、開口部シート１６が設けられている。開口部シート１６は、開口部１０ａの近傍における袋体１０の内側面から外側面にかけて、トップシート１１およびバックシート１２に、接着剤（図示省略）を介して、貼着されている。開口部シート１６は、撥水性の不織布により構成されている。開口部シート１６のより詳細な特徴や、開口部シート１６が果たす機能については、後述する。
【００３０】
図１に示すように、袋体１０には、開口部１０ａの縁から底部側へ向けて切れ込んだスリット１０ｂが形成されている。また、スリット１０ｂの縁には、男性器のサイズに応じて開口部１０ａを固定する固定部材２０が設けられている。固定部材２０は、袋体１０のスリット１０ｂの縁にその基端部が貼着された基材シート２１と、基材シート２１の他端部側に設けられた雄部材２２とを有する。雄部材２２は、例えば、面ファスナーのフック材により構成され、開口部シート１６の表面の任意の位置に対して、着脱可能となっている。
【００３１】
なお、固定部材２０は、必ずしも開口部シート１６に対して雄部材２２を付着させるものでなくてもよい。例えば、開口部１０ａの近傍のバックシート１２の外側面に、雌部材（例えば、面ファスナーのループ材）を設け、当該雌部材に対して、雄部材２２を係止させるようにしてもよい。また、雄部材２２に代えて、粘着テープを用いてもよい。
【００３２】
図３は、採尿パッド１の展開図である。採尿パッド１は、トップシート１１、補助シート１４、吸収体１３、およびバックシート１２をこの順に積層させた、略長方形状の積層体２から形成される。採尿パッド１を製造するときには、まず、積層体２を、その長手方向の中央付近において幅方向に延びる折曲線２ａを境として、トップシート１１が内側となるように折曲する。そして、折曲された積層体２の両側辺を、長手方向に熱シール等で接合することにより、図１および図２の状態の採尿パッド１を得る。
【００３３】
図４は、着用者に装着された採尿パッド１を示した図である。採尿パッド１を装着するときには、まず、着用者または介護者は、採尿パッド１の開口部１０ａを広げる。そして、開口部１０ａを広げた状態で、袋体１０を、着用者の男性器にかぶせる。着用者または介護者が開口部１０ａから指を離すと、袋体１０は、弾性部材１５の弾性力により、男性器に仮固定される。その後、着用者または介護者は、固定部材２０の雄部材２２を、開口部シート１６の適当な位置に付着させる。これにより、男性器のサイズに応じて開口部１０ａの大きさを調節し、男性器に対して採尿パッド１をしっかりと固定する。
【００３４】
特に、本実施形態の採尿パッド１は、開口部１０ａの近傍にスリット１０ｂを有し、スリット１０ｂの縁に固定部材２０が取り付けられている。このため、固定部材２０を引っ張ってスリット１０ｂの縁同士を重ねることができる。これにより、開口部シート１６と男性器との間に隙間が発生することを抑制しつつ、開口部１０ａの大きさを調節できる。
【００３５】
＜２．開口部付近の構造について＞
図５は、男性器９に装着された採尿パッド１の、開口部１０ａ付近の断面図である。以下では、図５を参照しつつ、採尿パッド１の開口部１０ａ付近の構造について、さらに説明する。
【００３６】
図５に示すように、開口部シート１６は、複数本の弾性部材１５の内側に位置する部分を有する。採尿パッド１を男性器９に装着したときには、弾性部材１５の締め付けにより、開口部シート１６が、男性器９の陰茎のおよそ全周に密着される。このため、図５中の白抜き矢印Ｕ１のように、袋体１０の内部から開口部１０ａ側へ尿が逆流しようとしても、男性器９と開口部シート１６との間で、尿が塞き止められる。
【００３７】
また、上述の通り、開口部シート１６は、撥水性の不織布により構成されている。このため、開口部シート１６自体への尿の染み込みも、殆どない。したがって、開口部１０ａから袋体１０の外部への尿の漏れが、防止される。
【００３８】
特に、本実施形態では、最も開口部１０ａ側に配置された弾性部材１５から最も袋体１０の底部側に配置された弾性部材１５までの全ての弾性部材１５の内側が、開口部シート１６に覆われている。これにより、男性器９と開口部シート１６との接触面積が広く確保されている。このため、本実施形態の採尿パッド１では、開口部１０ａからの尿の漏れが、より良好に防止される。
【００３９】
また、弾性部材１５は、不織布である開口部シート１６を介して、男性器９を締め付ける。このため、締め付けによる肌への刺激が低減される。特に、本実施形態では、弾性部材１５の内側に、バックシート１２と開口部シート１６とが、重なって配置されている。これにより、弾性部材１５の内側に、より十分な厚みが与えられている。このため、本実施形態の採尿パッド１では、男性器９と開口部シート１６との隙間がより狭小化されるとともに、締め付けによる肌への刺激も、より低減される。
【００４０】
また、本実施形態では、トップシート１１およびバックシート１２とは別体のシートとして、開口部シート１６が設けられている。このため、トップシート１１やバックシート１２とは異なる素材で、開口部シート１６を構成することができる。例えば、開口部シート１６に、肌との接触や尿の塞き止めにより適した不織布を、使用することができる。
【００４１】
また、本実施形態では、袋体１０の内側において、開口部シート１６が、吸収体１３の内側の位置まで延びている。すなわち、開口部シート１６の内側の端部１６ａは、吸収体１３の端部１３ａよりも、袋体１０の底部側に位置する。このため、男性器９と開口部シート１６との間で塞き止められた尿は、図５中の破線矢印Ｕ２のように、開口部シート１６の表面を伝って、吸収体１３の近傍へ導かれる。また、吸収体１３の端部１３ａ付近から開口部１０ａ側への尿の染み出しは、撥水性の開口部シート１６により、防止される。
【００４２】
また、本実施形態では、開口部シート１６が、袋体１０の外側まで延びている。したがって、袋体１０の開口部１０ａの縁１０ｃは、不織布である開口部シート１６を介して、着用者の腹部に接触する。このため、袋体１０の接触による、着用者の肌への刺激が低減される。
【００４３】
開口部シート１６には、例えば、スパンボンド法、メルトブロー法、スパンボンド法とメルトブロー法とを組み合わせたＳＭＳ法、またはエアースルー法により製造された不織布を、使用することができる。不織布の材料としては、例えば、ポリプロピレン、ポリエチレン、ポリエステル、ポリアミド等の合成繊維を使用すればよい。
【００４４】
特に、エアースルー法により製造されたエアースルー不織布は、繊維同士が絡み合った状態の繊維シートに、熱風処理を施し、繊維同士を熱接着させて、製造されるものであるため、嵩高性やクッション性に優れている。したがって、開口部シート１６にエアースルー不織布を使用すれば、男性器９と開口部シート１６との隙間をより狭小化できるとともに、着用者の肌への刺激もより低減できる。
【００４５】
また、男性器９と開口部シート１６との隙間を狭小化し、着用者の肌への刺激を低減させる、という効果をより良好に得るためには、目付（１平方メートルあたりの重さ）の高いエアースルー不織布を使用することが、好ましい。例えば、開口部シート１６に使用されるエアースルー不織布の目付は、２０ｇ／ｍ2以上であることが好ましく、２５ｇ／ｍ2以上であれば、より好ましい。
【００４６】
＜３．変形例＞
以上、本発明の一実施形態について説明したが、本発明は上記の実施形態に限定されるものではない。
【００４７】
上記の実施形態では、トップシート１１およびバックシート１２とは別に、撥水性の開口部シート１６が設けられていたが、このような開口部シート１６が設けられていなくてもよい。例えば、図６の採尿パッド１Ａのように、開口部シート１６が設けられておらず、開口部１０ａの近傍において、バックシート１２が露出していてもよい。このような構造であっても、バックシート１２を撥水性の不織布で構成すれば、男性器とバックシート１２との間で、尿を塞き止めることができる。また、不織布であるバックシート１２が、男性器や腹部に接触するため、肌に対する刺激も低減される。
【００４８】
特に、図６の例では、バックシート１２の内側の端部１２ａが、吸収体１３の内側の位置まで延びている。このため、男性器９とバックシート１２との間で塞き止められた尿は、バックシート１２の表面を伝って、吸収体１３の近傍へ導かれる。また、吸収体１３の端部１３ａ付近から開口部１０ａ側への尿の染み出しは、撥水性のバックシート１２により、防止される。
【００４９】
また、上記の実施形態では、採尿パッド１に、スリット１０ｂや固定部材２０が設けられていたが、スリット１０ｂや固定部材２０は、設けられていなくてもよい。
【００５０】
また、上記の実施形態では、長方形状の積層体２を折曲してその両側辺をシールすることにより、袋体１０が構成されていたが、袋体１０は、必ずしも単一の積層体２から形成されたものでなくてもよい。例えば、複数枚の積層体を接合して、袋体１０が構成されていてもよい。
【符号の説明】
【００５１】
１，１Ａ  採尿パッド
２  積層体
９  男性器
１０  袋体
１０ａ  開口部
１０ｂ  スリット
１１  トップシート
１２  バックシート
１３  吸収体
１４  補助シート
１５  弾性部材
１６  開口部シート
２０  固定部材
２１  基材シート
２２  雄部材
【図１】
0005386310.tif 000002
【図２】
0005386310.tif 000003
【図３】
0005386310.tif 000004
【図４】
0005386310.tif 000005
【図５】
0005386310.tif 000006
【図６】
0005386310.tif 000007